(57)【要約】【課題】電子ビューファインダで表現できる能力を越えた状態で表示させたことが容易に判るようにする。【解決手段】入力した映像信号の明るさ調整を行うブライト値をブライト値設定部４２ａで行う。そのブライト値設定部で設定されたブライト値を、映像信号に加算する加算処理を行い、その加算された映像信号を表示する。ここで、設定されたブライト値を基準値と比較器４５で比較し、その比較処理で、ブライト値が基準値を超えたことが検出された場合に、警告処理を行うようにした。【選択図】図２
2010124148.tif 000002
【特許請求の範囲】
【請求項１】
入力した映像信号の明るさ調整を行うブライト値を設定するブライトコントロール部と、
前記ブライトコントロール部で設定されたブライト値を、前記映像信号に加算する加算部と、
前記加算部で加算された映像信号を表示処理する表示部と、
前記ブライト値を基準値と比較する比較部と、
前記比較部で、前記ブライト値が基準値を超えたことが検出された場合に警告処理を行う警告部と
を備えた映像表示装置。
【請求項２】
前記基準値は、前記加算部で入力映像信号とブライト値を加算したときの輝度信号可変範囲が、前記表示部で正しく表示可能な範囲以内である場合に相当する値である
請求項１記載の映像表示装置。
【請求項３】
前記比較部は、前記加算部で前記ブライト値が加算された映像信号が、基準値を越えたことを検出する
請求項２記載の映像表示装置。
【請求項４】
入力した映像信号の明るさの再現範囲の調整を行うコントラスト値を設定するコントラストコントロール部を更に備え、
前記比較部で比較する基準値を、前記コントラスト値に応じて可変させる
請求項２記載の映像表示装置。
【請求項５】
前記コントラスト値に応じて、前記表示部を照明させる照明部の発光輝度を調整する
請求項４記載の映像表示装置。
【請求項６】
前記コントラスト値に応じて、映像信号に乗算する係数値を変化させる
請求項４記載の映像表示装置。
【請求項７】
像光の撮像を行う撮像部と、
前記撮像部で撮像して得た映像信号の明るさ調整を行うブライト値を設定するブライトコントロール部と、
前記ブライトコントロール部で設定されたブライト値を、前記映像信号に加算する加算部と、
前記加算部で加算された映像信号を表示処理する表示部と、
前記ブライト値を基準値と比較する比較部と、
前記比較部で、前記ブライト値が基準値を超えたことが検出された場合に警告処理を行う警告部と
を備えた撮像装置。
【請求項８】
入力した映像信号の明るさ調整を行うブライト値を設定するブライト値設定処理と、
前記ブライト値設定処理で設定されたブライト値を、前記映像信号に加算する加算処理と、
前記加算処理で加算された映像信号を表示する表示処理と、
前記ブライト値を基準値と比較する比較処理と、
前記比較処理で、前記ブライト値が基準値を超えたことが検出された場合に行う警告処理と
を有する映像表示方法。
【発明の詳細な説明】
【技術分野】
【０００１】
本発明は、例えば撮像装置で撮像して得た映像を表示する電子式ビューファインダに適用して好適な映像表示装置、及びその映像表示装置を備えた撮像装置、並びにその映像表示装置で映像を表示させる映像表示方法に関する。
【背景技術】
【０００２】
放送局用や業務用の撮像装置（ビデオカメラ）においては、その映像表現の自由度を上げる為に、輝度レベル調整などの各種撮像状態の調整を、マニュアルで実行できるようにしてある。このようにマニュアル調整を可能とすることで、制作者や撮影作業を行うオペレータの意図を反映した撮像が可能となる。
【０００３】
このようなビデオカメラにおいては、撮影作業を行うオペレータは、電子式ビューファインダに表示される映像を見て、意図した映像が撮像されているかどうかを確認する。電子式ビューファインダとしては、近年はカラー映像表示装置を使って、カラー映像を表示させるものが一般的である。また、液晶画像表示装置の普及に伴って、従来の陰極線管に代わって、液晶画像表示装置を使った電子式ビューファインダが一般的になっている。
【０００４】
特許文献１には、液晶画像表示装置を電子式ビューファインダとして使用した撮像装置の例についての記載がある。
【特許文献１】特開２００８−２０５５８９号公報
【発明の開示】
【発明が解決しようとする課題】
【０００５】
ところで、液晶画像表示装置は、従来の陰極線管を使った表示装置に比べて、表示できる映像の表示諧調が限られている。
従って、電子式ビューファインダで表示させる明るさを調整するブライトコントロール機能を使って、表示映像を明るくするオフセットを付加した場合、映像の明るい部分が、表現できる輝度諧調から外れる可能性がある。オフセットを付加して、表示装置で表現できる輝度諧調から外れるということは、高輝度部が正しく表現できない状態であり、好ましくない状態である。
【０００６】
また、これとは逆に、ブライトコントロール機能を使って、表示映像を暗くする方向に調整するマイナス方向のオフセットを付加した場合には、映像の暗分がつぶれてしまう可能性が高い。
【０００７】
このような問題を回避するためには、電子ビューファインダで明るさの調整を行うブライトコントロール機能として、調整可能な範囲を、その電子ビューファインダを構成する液晶画像表示装置で表現可能な範囲に限定することが考えられる。
ところが、撮像時の映像を確認する電子ビューファインダは、例えば明るい屋外で使用するような場合には、映像中の高輝度部が正しく表示できなくても、明るさを出来るだけ明るくして、周囲の明るさに負けない高い輝度で表示させたい場合がある。このため、調整可能な範囲を、その電子ビューファインダを構成する液晶画像表示装置で表現可能な範囲に制限した場合には、操作者が望む明るい映像表示にはならない可能性があり、好ましくない。
表示映像を暗くする方向に調整する場合についても、同様に、暗部がつぶれても暗く表示させたい場合があるが、表示可能な範囲に制限した場合には、そのような表示能力を超えた表示はできなくなってしまう。
【０００８】
ところが、電子ビューファインダを見ているだけでは、明るい部分の輝度が正しく表現されていない状態や、逆に暗部の輝度が正しく表現されていない状態を、表示映像だけから容易に判別するのは困難である。従って、撮像中に高輝度部分が正しく表示されないような状況のとき、その原因が、撮像部で撮像する輝度レベルの設定が正しくないためであるのか、電子ビューファインダでの表示諧調能力を超えているためであるのかが判らない問題があった。
【０００９】
本発明は、これらの点に鑑みてなされたものであり、電子ビューファインダで表現できる能力を越えた状態で表示させたことが容易に判るようにすることを目的とする。
【課題を解決するための手段】
【００１０】
本発明は、入力した映像信号の明るさ調整を行うブライト値を設定するブライト値設定処理を行う。そのブライト値設定処理で設定されたブライト値を、映像信号に加算する加算処理を行い、その加算された映像信号を表示する。
ここで、設定されたブライト値を基準値と比較し、その比較処理で、ブライト値が基準値を超えたことが検出された場合に、警告処理を行うようにしたものである。
【００１１】
このように信号処理することで、ブライト値の設定で、表示映像の輝度が、表示部で表現可能な諧調を超える可能性があることが判った場合にそのことが警告されて、撮影作業を行うオペレータに告知されるようになる。
【発明の効果】
【００１２】
本発明によると、ブライト値の設定で、表示映像の輝度が、表示部で表現可能な諧調を超える可能性があることが判った場合にそのことが警告されるようになる。従って、映像の高輝度部分や暗部が正しい諧調で表示されなかった場合でも、表示部に表示される映像を見るオペレータは、ブライト値の設定が原因であることが判るようになり、撮像を適正に行うための判断材料を与えることができる。
【発明を実施するための最良の形態】
【００１３】
以下、本発明の実施の形態について以下の順序で説明する。
１．第１の実施の形態の撮像装置全体の構成例：図１
２．第１の実施の形態の電子ビューファインダの構成及び動作の例：図２，図３
３．表示例の説明：図４，図５
４．輝度レベルの調整状態の例の説明：図６
５．電子ビューファインダの構成の変形例：図７
６．第２の実施の形態の電子ビューファインダの構成及び動作の例：図８，図９
７．第２の実施の形態の電子ビューファインダの変形例：図１０
８．各実施の形態に共通の変形例の説明
【００１４】
［１．第１の実施の形態の撮像装置全体の構成例］
図１は、第１の実施の形態による撮像装置の内部構成例を示している。図１に示す撮像装置１００は、被写体光を撮像装置１００内に取り込むレンズブロック１と、カメラブロック２と、電子ビューファインダ４とより構成される。本実施の形態においては、電子ビューファインダ４は、カメラブロック２から着脱自在に構成してある。
【００１５】
レンズブロック１は、撮像用のレンズを備え、フォーカス調整用のレンズ位置を調整するフォーカスリングや、絞り量を調整するアイリス機構（これらは図示せず）等が含まれる。
【００１６】
カメラブロック２は、レンズブロック１のレンズを介して入射された被写体光を光電変換して映像信号を生成する撮像素子２１を設けてあり、撮像素子２１で生成された映像信号は、相関二重サンプリング回路（以下、ＣＤＳ回路と称する）２２に供給する。ＣＤＳ回路２２は、撮像素子２１によって生成された映像信号に含まれたリセットノイズを除去し、雑音除去後の映像信号をアナログ・デジタル変換器２３に供給する。
【００１７】
アナログ／デジタル変換器２３は、ＣＤＳ回路２２から供給された映像信号をデジタルの信号に変換して、信号処理部２４に供給する。信号処理部２４は、入力された映像信号に、黒レベルを一定基準値に固定するためのフィードバッククランプ処理や、ガンマ補正等の信号処理を施して、記録用信号処理部２５と表示用信号処理部２８に出力する。
【００１８】
記録用信号処理部２５は、信号処理部２４で信号処理された映像信号をＭＰＥＧ（Moving Picture Experts Group）等の方式で圧縮して、記憶部２６又は外部インタフェース部２７に供給する。記憶部２６はＨＤＤ（Hard Disk Drive）等よりなり、記憶部２６には、記録用信号処理部２５で圧縮された映像信号等が蓄積される。なお、記憶部２６に蓄積される映像信号は圧縮されたものに限定されるものではなく、非圧縮の映像信号を蓄積するようにしてもよい。
【００１９】
表示用信号処理部２８は、電子ビューファインダ４で表示させるのに適した映像信号とする。具体的には、表示用信号処理部２８で、信号処理部２４で信号処理された映像信号をＮＴＳＣ方式や、ＨＤ信号方式等の映像信号にエンコードする。ＮＴＳＣ方式は、［National Television System Committee］の略である。ＨＤ信号方式は、［High Definition］信号方式の略である。そのエンコード後の映像信号を信号処理部２４でアナログ信号に変換する処理等を行う。そして、その変換処理されたアナログ映像信号を、出力部２９から外部に出力させる。また、表示用信号処理部２８内で、輪郭強調などのファインダ表示に適した信号とする処理を行うようにしてもよい。
出力部２９は、電子ビューファインダ４を接続するための出力部であり、本例の場合には、信号ケーブル３で電子ビューファインダ４の入力部４１と接続させてある。本例の場合には、信号ケーブル３で伝送されるアナログ映像信号として、色差信号Ｐｒ，Ｐｂと輝度信号Ｙとに分けて伝送される信号としてある。
【００２０】
電子ビューファインダ４は、入力部４１に入力した映像信号を、信号処理部５０に供給して必要な信号処理を行い、その処理された映像信号を、液晶表示パネル６０に供給して映像を表示させる。液晶表示パネル６０の背面には、バックライト６１が配置してある。
また、信号処理部５０での信号処理状態を設定するための、操作部４２を備え、図示しない操作ボタンなどの操作で、各種指示が行える構成としてある。
【００２１】
［２．電子ビューファインダの構成及び動作の例］
次に、本実施の形態での電子ビューファインダ４の構成について、図２を参照して説明する。図２は、映像信号の内の輝度信号の処理系を示したものである。
入力部４１に得られた映像信号は、アナログ／デジタル変換器４３に供給して、デジタルデータに変換する。ここでは、輝度信号Ｙを１サンプル辺り、８ビットのデジタルデータとする。８ビットの場合、０から２５５の２５６諧調のデータとなるが、ここではこの０から２５５の２５６諧調の内の、０から２４０までの約８０％の値（諧調）を使って、デジタルデータ化するようにしてある。
【００２２】
このアナログ／デジタル変換器４３で変換された８ビットの映像信号（輝度信号）は、加算器４４に供給する。この加算器４４では、ブライトコントロール部４２ａから出力されたブライト調整値を加算する。
ブライトコントロール部４２ａは、映像の表示明るさを調整するコントロール部であり、調整つまみなどを備えて、操作者が調整した状態に応じて、±４０諧調のブライト調整値が出力される。このブライト調整値は、全く調整による信号変化をしない場合には、０となり、それよりも明るく調整する場合には、プラス方向に４０諧調までの値とし、それよりも暗く調整する場合には、マイナス方向に４０諧調までの値とする。
従って、加算器４４でブライト調整値が加算された輝度信号は、−４０から＋２８０までの間の２４１段階の値となる。
【００２３】
加算器４４で加算された輝度信号は、加算器４８に供給する。加算器４８は、インジケータ表示処理部４７が出力するインジケータ表示用の映像信号を加算するものである。インジケータとしての表示を行わない場合には、加算器４８では何も加算を行わない。インジケータ表示処理部４７でインジケータ表示用の映像信号を出力する場合については、後述する。
【００２４】
加算器４８の加算出力は、表示パネル駆動部６２に供給し、その供給される輝度信号と、図示しない色差信号とから、原色信号Ｒ，Ｇ,Ｂを生成させて、その原色信号に基づいて、液晶表示パネル６０での映像表示の駆動処理を行う。なお、本例の液晶表示パネル６０は、２５６諧調の映像信号（輝度信号）の表示を正しく行うことができる能力を有する。即ち、諧調値０から２５５までの２５６段階の映像信号を正しく表示させることができる。
【００２５】
そして、ブライトコントロール部４２ａから出力されたブライト調整値は、比較器４５に供給する。比較器４５では、±４０諧調のブライト調整値を、基準値設定部４６に設定された基準範囲と比較する。この例では、基準値として、０から１５までの値が設定してあり、ブライト調整値が、０から１５までの値であるとき、適正であると比較器４５が判断する。比較器４５は、ブライト調整値が、０から１５までの値以外である場合には、インジケータ表示処理部４７に指令を送り、インジケータを表示させる映像を出力させる。インジケータ表示処理部４７で出力された映像信号は、加算器４８に供給して、表示映像に加算する。インジケータの表示例は、図４の表示例として後述する。
【００２６】
表示パネル６０の背面を照明するバックライト６１は、発光輝度制御部６３により輝度が制御される。この発光輝度の制御は、コントラストコントロール部４２ｂでのコントラスト調整値により制御される。コントラストコントロール部４２ｂについても、調整つまみなどを備えて、操作者の操作でコントラストを設定できる構成としてある。
【００２７】
図３のフローチャートは、図２の構成にてインジケータ点灯を制御する処理例を示したものである。
まず、ブライトコントロールがあるか否か判断し（ステップＳ１１）、ブライトコントロールがある場合には、ブライト調整値を更新させる（ステップＳ１２）。そして、現在のブライト調整値の値（諧調）を判断して、その調整値が、０から１５までの値以外であるか否か判断する（ステップＳ１３）。
ここで、０から１５までの値以外である場合には、現在の輝度信号の諧調値が、０から２５５の範囲を超えたものであり、インジケータを点灯させる（ステップＳ１４）。０から１５までの値である場合には、現在の輝度信号の諧調値が、０から２５５の範囲であり、表示パネル６０で正しく表示可能な輝度範囲であり、インジケータを点灯させない。
この図３のフローチャートの処理が繰り返される。
【００２８】
［３．表示例の説明］
図４は、本実施の形態の処理での表示例を示したものである。
表示画面１００は、液晶表示パネル６０の表示画面を示し、ブライト調整値が０から１５までの値である場合には、図４（ａ）に示すように、インジケータは点灯させない。これに対して、ブライト調整値が０から１５までの値以外である場合には、図４（ｂ）に示すように、表示画面１００の左上などに、インジケータ１０１として、所定色の警告灯表示を行う。本例の場合には、インジケータ１０１として、連続的に点灯させた状態の表示としてある。
【００２９】
図４の例では、液晶表示パネル６０で表示される画面内にインジケータを表示させた例としたが、画面１００の外部に、発光ダイオードなどでインジケータ表示を行うようにしてもよい。
即ち、例えば図５に示すように、表示画面１００の左上の隅などに、発光ダイオードなどでインジケータ表示１０２を行うようにする。そして、ブライト調整値が０から１５までの値である場合には、図５（ａ）に示すように、インジケータ１０２は点灯させない。これに対して、ブライト調整値が０から１５までの値以外である場合には、図５（ｂ）に示すように、インジケータ１０２を点灯させる。
【００３０】
［４．輝度レベルの調整状態の例の説明］
次に、ブライト調整値により輝度信号レベルが調整される例について、図６を参照して説明する。
図６（ａ）は、入力した輝度信号のレベルを示したものである。輝度信号は、０から２４０までの諧調の信号であり、その２４１段階の輝度信号輝度信号Ｖ１で、０％レベル（黒レベル）から１００％レベル（白レベル）までが表現される。
【００３１】
図６（ｂ）は、液晶表示パネル６０で表現可能なレベルを示したものである。液晶表示パネル６０では、０から２５５までの諧調の輝度信号Ｖ２を、正しい諧調で表示可能である。この場合には、０％レベルから１０９％レベルまでが表現可能である。
【００３２】
図６（ｃ）は、その正しい諧調で表現可能な範囲で、ブライト調整値で調整した例を示した例である。この例では、ブライト調整値Ｖａとして１５としてあり、そのブライト調整値が加算された輝度信号Ｖ３は、１５から２５５までの諧調値となっている。この状態は、図６（ｂ）に示した表示可能な範囲内である。従って、この調整状態の場合には、インジケータは不点灯である。
【００３３】
図６（ｄ）は、正方向に、表示可能な範囲を超えてブライト調整値で調整した例を示した例である。この例では、ブライト調整値Ｖｂとして４０としてあり、そのブライト調整値が加算された輝度信号Ｖ４は、４０から２８０までの諧調値となっている。この状態は、図６（ｂ）に示した表示可能な範囲を超えている。従って、この調整状態の場合には、インジケータは点灯状態となる。
【００３４】
図６（ｅ）は、負方向に、表示可能な範囲を超えてブライト調整値で調整した例を示した例である。この例では、ブライト調整値Ｖｃとして−１５としてあり、そのブライト調整値が加算された輝度信号Ｖ５は、−１５から２３５までの諧調値となっている。この状態についても、図６（ｂ）に示した表示可能な範囲を超えている。従って、この調整状態の場合にも、インジケータは点灯状態となる。
【００３５】
このようにして、液晶表示パネル６０で表示させる明るさを調整するブライト値の調整状態に応じて、インジケータの点灯制御が行われることで、ブライト値の設定で、表示映像の輝度が、表示部で表現可能な諧調を超えることが警告されるようになる。従って、映像の高輝度部分や暗部が正しい諧調で表示されなかった場合でも、表示部に表示される映像を見るオペレータは、ブライト値の設定が原因であることが判るようになり、撮像を適正に行うための判断材料を与えることができる。
【００３６】
［５．電子ビューファインダの構成の変形例］
次に、電子ビューファインダの構成の変形例を、図７を参照して説明する。この図７において、図２に示した電子ビューファインダの構成と同一部分には、同一符号を付す。
この図７の例の場合には、加算器４４で、輝度信号とブライト調整値とを加算した信号を、比較器４５′に供給して、基準値設定部４６′から指示された範囲と比較するようにしたものである。そして、比較器４５′で、基準値設定部４６′から指示された範囲を超えたことが検出された場合に、インジケータ表示処理部４７にインジケータを表示させる指示を行う。
【００３７】
この図７の構成の場合には、基準値設定部４６′から指示された範囲として、表示パネル６０で表示可能な諧調である０から２５５が設定してある。そして、供給された輝度信号が、その範囲を超えたか否か比較器４５′で比較される。
この場合には、実際に入力した輝度信号で表示可能な範囲を超えた場合に、インジケータが点灯するため、ブライト調整値が０から１５を超えている場合でも、入力映像によっては、インジケータが点灯しない場合がある。
図７のその他の部分は、図２に示した電子ビューファインダと同様に構成する。
【００３８】
［６．第２の実施の形態の電子ビューファインダの構成及び動作の例］
次に、本発明の第２の実施の形態について、図８及び図９を参照して説明する。この図８及び図９において、第１の実施の形態で説明した図１〜図７に対応する部分には同一符号を付す。
本実施の形態においても撮像装置の電子ビューファインダとしたものであり、撮像装置の全体構成については、図１に示した構成が適用される。
【００３９】
そして本実施の形態においては、電子ビューファインダを図８に示すように構成する。
図８の構成について説明すると、図８は、映像信号の内の輝度信号の処理系を示したものである。
入力部４１に得られた映像信号は、アナログ／デジタル変換器４３に供給して、デジタルデータに変換する。ここでは、輝度信号Ｙを１サンプル辺り、０から２４０までの諧調で表現したデジタルデータとする。
【００４０】
このアナログ／デジタル変換器４３で変換された８ビットの映像信号（輝度信号）は、乗算器７２に供給する。乗算器７２は、コントラスト調整値に基づいて、係数設定部７１で設定された係数αを乗算する乗算器である。コントラスト調整値は、コントラストコントロール部４２ｂにより設定される値である。
【００４１】
乗算器７２で係数αが乗算されることで、輝度信号の諧調数が係数αに基づいて調整される。そして、その乗算器７２の乗算出力を、加算器４４に供給し、ブライトコントロール部４２ａから出力されたブライト調整値を加算する。
ブライトコントロール部４２ａは、操作者が調整した状態に応じて、±４０諧調のブライト調整値が出力される。
【００４２】
加算器４４で加算された輝度信号は、加算器４８に供給する。加算器４８は、インジケータ表示処理部４７が出力するインジケータ表示用の映像信号を加算するものである。
加算器４８の加算出力は、表示パネル駆動部６２に供給し、その供給される輝度信号と、図示しない色差信号とから、原色信号Ｒ，Ｇ,Ｂを生成させて、その原色信号に基づいて、液晶表示パネル６０での映像表示の駆動処理を行う。
【００４３】
そして、ブライトコントロール部４２ａから出力されたブライト調整値を、比較器４５に供給する。比較器４５では、ブライト調整値を、基準値設定部４６に設定された基準範囲と比較する。
本例の場合、基準値設定部４６には、係数設定部７１で設定された係数αが供給され、その係数の設定状態に応じて、基準値を可変させる構成としてある。比較器４５は、ブライト調整値が、基準範囲以外である場合には、インジケータ表示処理部４７に指令を送り、インジケータを表示させる映像を出力させる。インジケータ表示処理部４７で出力された映像信号は、加算器４８に供給して、表示映像に加算する。インジケータの表示例は、例えば図４に示した状態とする。
【００４４】
表示パネル６０の背面を照明するバックライト６１は、発光輝度制御部６３により輝度が制御される。この場合の発光輝度は、コントラスト調整値によっては、輝度が変化しない。
【００４５】
図８のフローチャートは、図７の構成にてインジケータ点灯を制御する処理例を示したものである。
まず、ブライトコントロールがあるか否か判断し（ステップＳ１１）、ブライトコントロールがある場合には、ブライト調整値を更新させる（ステップＳ１２）。
また、コントラストコントロールがあるか否か判断し（ステップＳ２１）、コントラストコントロールがある場合には、基準値設定部４６の基準値を可変させる（ステップＳ２２）。
【００４６】
そして、現在のブライト調整値の値（諧調）を判断して、その調整値が、基準値で示された範囲外であるか否か判断する（ステップＳ１３）。
ここで、範囲外である場合には、インジケータを点灯させる（ステップＳ１４）。０から１５までの値である場合には、現在の輝度信号の諧調値が、基準値で示された範囲内であり、液晶表示パネル６０で正しく表示可能な輝度範囲であり、インジケータを点灯させない。
この図９のフローチャートの処理が繰り返される。
【００４７】
このように本実施の形態のように、コントラス調整に基づいて、比較する基準値を調整することで、コントラス調整を考慮した判断が行われることになり、より正確に表示可能範囲を超えているかが判断されるようになる。従って、より正確にインジケータで警告できるようになる。
【００４８】
［７．第２の実施の形態の変形例］
次に、本発明の第２の実施の形態の変形例の電子ビューファインダの構成について、図１０を参照して説明する。この図１０において、先に説明した図２及び図８に対応する部分には同一符号を付す。
図１０の構成は、コントラストコントロール部４２ｂが出力するコントラスト調整値を、係数設定部７１と発光輝度制御部６３とに供給する点が、図８と異なるものである。
係数設定部７１では、コントラスト調整値に基づいて、輝度信号に乗算する係数αを調整して、コントラスト調整処理を行う。
発光輝度制御部６３では、コントラスト調整値に基づいて、バックライト６１の発光輝度を調整して、コントラスト調整処理を行う。
このようにして、液晶表示パネル６０で表示させる映像の輝度信号のコントロールによって、コントラスト調整を行うと共に、バックライト６１の発光輝度制御によって、コントラスト調整を行う。そして、係数値αを基準値設定部４６に供給し、係数値αによって基準値を調整する。
【００４９】
そして、このように基準値設定部４６に設定された基準値と、ブライトコントロール部４２ａで設定されたブライト調整値とが、比較器４５で比較されて、インジケータの発光が制御される。
図１０のその他の部分は、図８に示した電子ビューファインダと同様に構成する。
この図１０に示すようにバックライトを使ってコントラスト調整を行う場合にも適用が可能である。
【００５０】
［８．各実施の形態に共通の変形例の説明］
上述した各実施の形態では、ビデオカメラである撮像装置に、別体の電子ビューファインダを取付けて、その電子ビューファインダ側で信号処理するようにした。これに対して、電子ビューファインダは、撮像装置と一体化された構成として、その一体化された撮像装置内の信号処理回路で、同様の処理を行う構成としてもよい。
【００５１】
また、図６などに示した輝度の諧調値などを示す値は一例を示したものであり、その他の値で制御する構成としてもよい。
また、上述した各実施の形態では、表示部での表示が正しい諧調で行えないことを警告するのに、インジケータを点灯させる構成としたが、その他の警告処理を行うようにしてもよい。
【００５２】
さらに、図２に示した構成では、それぞれの信号処理を行うハードウェアを用意して、専用の回路で処理を行って、所望の表示が行われる構成とした。これに対して、図３のフローチャートに示した映像信号処理を実行するプログラムを用意して、撮像して得た映像信号をメモリなどに一時記憶させ、記憶データに対して、そのプログラムの実行で、ブライトコントロールやコントラストコントロールなどを行うようにしてもよい。
【図面の簡単な説明】
【００５３】
【図１】本発明の第１の実施の形態による撮像装置の構成例を示すブロック図である。
【図２】本発明の第１の実施の形態による撮像装置が備える電子ビューファインダの構成例を示すブロック図である。
【図３】本発明の第１の実施の形態による電子ビューファインダでの処理例を示すフローチャートである。
【図４】本発明の第１の実施の形態による表示例（例１）を示す説明図である。
【図５】本発明の第１の実施の形態による表示例（例２）を示す説明図である。
【図６】本発明の第１の実施の形態による調整例を示す説明図である。
【図７】本発明の第１の実施の形態の変形例による撮像装置が備える電子ビューファインダの構成例を示すブロック図である。
【図８】本発明の第２の実施の形態による撮像装置が備える電子ビューファインダの構成例を示すブロック図である。
【図９】本発明の第２の実施の形態による電子ビューファインダでの処理例を示すフローチャートである。
【図１０】本発明の第２の実施の形態による電子ビューファインダの構成の変形例を示すブロック図である。
【符号の説明】
【００５４】
１…レンズブロック、２…カメラブロック、３…信号ケーブル、４…電子ビューファインダ、２１…撮像素子、２２…相関二重サンプリング回路、２３…アナログ・デジタル変換器、２４…信号処理部、２５…記録用信号処理部、２６…記憶部、２７…外部インタフェース部、２８…表示用信号処理部、２９…出力部、４１…入力部、４２…操作部、４２ａ…ブライトコントロール部、４２ｂ…コントラストコントロール部、４３…アナログ／デジタル変換器、４４…加算器、４５，４５′…比較器、４６，４６′…基準値設定部、４７…インジケータ表示処理部、４８…加算器、５０…信号処理部、６０…液晶表示パネル、６１…バックライト、６２…パネル駆動部、６３…発光輝度制御部、７１…係数設定部、７２…乗算器
【図１】
2010124148.tif 000003
【図２】
2010124148.tif 000004
【図３】
2010124148.tif 000005
【図４】
2010124148.tif 000006
【図５】
2010124148.tif 000007
【図６】
2010124148.tif 000008
【図７】
2010124148.tif 000009
【図８】
2010124148.tif 000010
【図９】
2010124148.tif 000011
【図１０】
2010124148.tif 000012